(57)【要約】【課題】リング操作部材を用いてズームレンズ系を操作する場合、ユーザによっては、少ない操作量にて、一気にＴｅｌｅ端、Ｗｉｄｅ端に移動させたいという要望や、多くの操作量でも細かく移動させたいという要望がある。また、その各操作量に関してもユーザによって、最適と考える量が異なり、あらかじめ設定されているリング部材の操作量に対するズームレンズ系の移動量の関係だけでは、全てのユーザの要望に答える事が困難であった。【解決手段】リング操作部材の回転に伴う変化量を検出手段により検出し、検出量と、ズームレンズ系の位置の相関をユーザが任意に設定出来るようにした。【選択図】      図３−１
2007033775.tif 000002
【特許請求の範囲】
【請求項１】
レンズ光軸に対して同心円状に設けられたリング操作部材の回転に伴う変化量を、検出手段により検出し、前記リング操作部材の回転に伴う変化量を、ズームレンズ系の停止位置と対応づける、前記リング操作部材の操作範囲を任意に設定出来る事を特徴とする撮像装置。
【請求項２】
前記ズームレンズ系の駆動速度は、前記リング操作部材の操作速度と、設定された前記リング操作部材の操作範囲により決定される事を特徴とする請求項１記載の撮像装置。
【請求項３】
前記リング操作部材の操作範囲の設定量を、ズームレンズ系の停止位置と対応づける為に、ズームレンズ系の停止位置を任意に設定出来る事を特徴とする請求項１記載の撮像装置。
【請求項４】
前記リング操作部材の回転に伴う変化量を検出手段により検出し、表示手段に表示する事を特徴とする請求項１記載の撮像装置。
【発明の詳細な説明】
【技術分野】
【０００１】
本発明は、リング操作部材から発生する情報を基にして、ズームレンズ系の駆動制御を行う撮像装置に関する。
【背景技術】
【０００２】
従来、レンズ光軸に対して同心円状に設けられたリング部材の操作量により、ズームレンズ系の移動量を決定する技術として特許文献１に挙げられている方法がある。これは、人の感覚にマッチして効果的なズーミング効果が得られるように、リング部材の操作量に対しズームレンズ系の移動量を撮影のシーンモードなどから選択される物である。
【特許文献１】特開平１０−３９１９２号公報
【発明の開示】
【発明が解決しようとする課題】
【０００３】
しかし、リング操作部材を用いてズームレンズ系を操作する場合、ユーザによっては、少ない操作量にて、一気にＴｅｌｅ端、Ｗｉｄｅ端に移動させたいという要望や、多くの操作量でも細かく移動させたいという要望がある。また、その各操作量に関してもユーザによって、最適と考える量が異なり、あらかじめ設定されているリング部材の操作量に対するズームレンズ系の移動量の関係だけでは、全てのユーザの要望に答える事が困難であった。
【０００４】
本発明は、以上の点に着目して成されたもので、リング操作部材の操作有効範囲をユーザが設定し、その範囲とズームレンズ系の駆動範囲を対応づける事で、ユーザの要望に合った操作性を実現する撮像装置を提供することを目的とする。
【課題を解決するための手段】
【０００５】
上記課題を解決する為に、ユーザが自分の感覚にマッチするように、リング操作部材の操作量に対するズームレンズ系の移動量を設定出来る事を特徴とする。
【０００６】
なお、さらに説明すれば、本発明の第一の発明について下記のように示す。
【０００７】
（１）レンズ光軸に対して同心円状に設けられたリング操作部材の回転に伴う変化量を、検出手段により検出し、前記リング操作部材の回転に伴う変化量を、ズームレンズ系の停止位置と対応づける、前記リング操作部材の操作範囲を任意に設定出来る事を特徴とする撮像装置。
【発明の効果】
【０００８】
ユーザが、リング操作部材の操作有効範囲を設定し、その範囲をズームレンズ系停止ポイントと対応づける事により、ズームレンズ系を、少ない操作量にて、Ｔｅｌｅ端、Ｗｉｄｅ端を移動させる事や、細かい移動をさせる事が可能になる。
【発明を実施するための最良の形態】
【０００９】
以下、添付の図面に沿って本発明の実施の形態を説明する。
【実施例】
【００１０】
（実施形態）
本実施例では、リング操作部材を操作しパルスを発生させ、そのパルス情報を基にズームレンズ系を操作する。
【００１１】
本実施の形態において、図１は撮像装置である。
【００１２】
１００は、撮像装置、１０２は、リング操作部材である。リング操作部材１０２は、パルス発生装置を内蔵し、回転操作を行う事により、パルスを発生する。このパルスを検出する事により、リング操作部材の操作量を検知する事が出来る。前記パルスの周波数をサンプリングする事により、リング操作部材の操作速度も検知する事が出来る。
【００１３】
図２は撮像装置のシステム図である。この図２を用いて撮像装置についての説明を行う。
【００１４】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
また、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダー機能を実現することが可能である。また画像処理回路２０で作成されたヒストグラムを表示する事も可能である。ズームレンズ系を駆動させる際に、画像表示部が電子ファインダー機能を実行していれば、ズーム操作バーを表示する事も可能である。画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２３】
さらに、画像表示部２８は、回転可能なヒンジ部によって撮像装置１００本体と結合されており、自由な向き、角度を設定して電子ファインダー機能や再生表示機能、各種表示機能を使用することが可能である。
【００２４】
また、画像表示部２８の表示部分を撮像装置１００に向けて格納することが可能であり、この場合は画像表示部開閉検知手段１０６により、格納状態を検知して画像表示部２８の表示動作を停止することが出来る。
【００２５】
３０は撮影した静止画像や動画像を格納するためのメモリであり、所定枚数の静止画像や所定時間の動画像を格納するのに十分な記憶量を備えている。
【００２６】
これにより、複数枚の静止画像を連続して撮影する連射撮影やパノラマ撮影の場合にも、高速かつ大量の画像書き込みをメモリ３０に対して行うことが可能となる。
【００２７】
また、メモリ３０はシステム制御回路５０の作業領域としても使用することが可能である。
【００２８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２９】
４０は絞り機能を備えるシャッター１２を制御する露光制御手段であり、フラッシュ４８と連携することによりフラッシュ調光機能も有するものである。
【００３０】
４２は撮影レンズ１０のフォーカシングを制御する測距制御手段である。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
４４は撮影レンズ１０のズーミングを制御するズーム制御手段、４６はズームリング１０２を操作した時に発生するパルスを検出する変化量検出部である。
【００３３】
４８はコネクタであり、アクセサリーシューとも呼ばれ、フラッシュ装置４００との電気接点や機械的な固定手段も合わせて備えている。
【００３４】
５０は撮像装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３５】
また、表示部５４は、その一部の機能が光学ファインダー１０４内に設置されている。
【００３６】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３７】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３８】
５６は電気的に消去・記録可能な不揮発性メモリであり、例えばＥＥＰＲＯＭ等が用いられる。この不揮発性メモリ５６内に、リング操作部材の変化に伴う出力と、ズームレンズ系との移動量を記録しておく。
【００３９】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４０】
ここで、これらの操作手段の具体的な説明を行う。
【００４１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４２】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４３】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４４】
６６は画像表示ＯＮ／ＯＦＦスイッチで、画像表示部２８のＯＮ／ＯＦＦを設定することが出来る。
【００４５】
この機能により、光学ファインダー１０４を用いて撮影を行う際に、ＴＦＴ  ＬＣＤ等から成る画像表示部２８への電流供給を遮断することにより、省電力を図ることが可能となる。
【００４６】
６８は単写／連写スイッチで、シャッタースイッチＳＷ２を押した場合に１駒の撮影を行って待機状態とする単写モードとシャッタースイッチＳＷ２を押している間は連続して撮影を行い続ける連写モードとを設定することが出来る。
【００４７】
７０はＭＦスイッチで、ユーザがフォーカスレンズを操作しフォーカシングを行う、マニュアルフォーカスモードに設定することが出来る。
【００４８】
７２はメニュースイッチで、このスイッチを押す事から、メニュー画面に入り、各機能のＯＮ、ＯＦＦ切り替えや、撮影設定のパラメータの選択を行う。このメニュー画面にて操作性パラメータテーブルの選択も行う事が出来る。
【００４９】
７４は各種ボタンやタッチパネル等からなる操作部で、メニューボタン、セットボタン、キャンセルボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、パノラマモード等の撮影及び再生を実行する際に各種機能の選択及び切り替えを設定する選択／切り替えボタン、パノラマモード等の撮影及び再生を実行する際に各種機能の決定及び実行を設定する決定／実行ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままディジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することが出来る再生モードスイッチ、撮影モード状態において、撮影した画像をメモリ３０或いは記録媒体２００或いは２１０から読み出して画像表示部２８によって表示する再生動作の開始を指示する再生スイッチ等がある。
【００５０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５１】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５２】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５３】
なお、本実施例では記録媒体を取り付けるインタフェース及びコネクタを２系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５４】
インタフェース及びコネクタとしては、ＰＣＭＣＩＡカードやＣＦ（コンパクトフラッシュ(登録商標)）カード等の規格に準拠したものを用いて構成して構わない。
【００５５】
さらに、インタフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５６】
１０２は、リング操作部材である。リング操作部材１０２を回転操作する事によりリング操作部材に取り付けられたパルス発生装置からパルスが発生する。発生パルスは回転速度により周波数が変わる。そのパルスを変化量検出部４６で検出する事により、リング操作部材１０２の操作状況を検知する事が出来る。
【００５７】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５８】
１０６は画像表示部開閉検知手段であり、画像表示部２８が、画像表示部２８の表示部分を撮像装置１００に向けて格納した格納状態にあるかどうかを検知することが出来る。
【００５９】
ここで、格納状態にあると検知したならば画像表示部２８の表示動作を停止して不要な電力消費を禁止することが可能である。
【００６０】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６１】
１１２は通信手段１１０により撮像装置１００を他の機器と接続するコネクタ或いは無線通信の場合はアンテナである。
【００６２】
２００はメモリカードやハードディスク等の記録媒体である。
【００６３】
記録媒体２００は、半導体メモリや磁気ディスク等から構成される記録部２０２、撮像装置１００とのインタフェース２０４、撮像装置１００と接続を行うコネクタ２０６を備えている。
【００６４】
２１０はメモリカードやハードディスク等の記録媒体である。
【００６５】
記録媒体２１０は、半導体メモリや磁気ディスク等から構成される記録部２１２、撮像装置１００とのインタフェース２１４、撮像装置１００と接続を行うコネクタ２１６を備えている。
【００６６】
４００はフラッシュ装置である。
【００６７】
４０２は撮像装置１００のアクセサリーシューと接続するためのコネクタである。
【００６８】
４０４はフラッシュであり、ＡＦ補助光の投光機能、フラッシュ調光機能も有する。
【００６９】
図３−１，図３−２及至図７を用いてリング操作部材によるズームレンズ系の動作を説明する。
【００７０】
まず撮像装置の起動が行われる（Ｓ１００）。Ｓ１００の詳細は別図を使用し後述する。
【００７１】
次に不揮発性メモリ５６に記録されている、リング操作部材の操作有効範囲と、現在設定されている操作有効範囲の番号を読み込み、ズームレンズ系の駆動範囲と対応づける（Ｓ１０１）。操作有効範囲の番号に関しては後述する。
【００７２】
対応づけは、図８−１に図示されるようにして行う。操作有効範囲の端をＷｉｄｅ、Ｔｅｌｅに割りふり、その間を等分して、各ズームレンズ系停止位置に割り振る。これにより、図示されている各ズームレンズ系停止位置に対応する個所まで、リング操作部材を操作すれば、対応した位置にズームレンズ系が移動する。
【００７３】
図８−２は設定されている操作有効範囲が、所定の警告範囲よりも狭かった場合である。この場合は、図に示すように、ズームレンズ系の停止出来る個所を限定する。
【００７４】
ズームレンズ系の駆動速度は、リング操作部材の操作速度と、リング操作部材のズームレンズ系停止位置に対応する操作量から決定される。駆動しているズームレンズ系の現在位置と、その位置に対応するリング操作部材の位置が、ずれないよう速度を調節する。
【００７５】
次にメニュースイッチ７２が押されたか判断を行う（Ｓ１０２）。押されていない場合は、Ｓ１２４に移動する。Ｓ１２４からの説明は後述する。
【００７６】
メニュースイッチ７２が押されていた場合は、画像表示部２８に表示する（Ｓ１０３）。メニュー画面内でリング操作部材有効範囲選択が、選択されたかを判断する（Ｓ１０４）。選択されていない場合は、その他の選択されたメニューを実行し（Ｓ１０５）、Ｓ１０２に戻る。選択された場合は、リング操作部材操作有効範囲選択画面（図５）を画像表示部２８に表示する（Ｓ１０６）。この画面内には、不揮発性メモリ５６に記録されている操作有効範囲が表示される。
【００７７】
本実施例では、３個の有効範囲が表示されているが、これより多く持つ事も少なく持つ事も、もちろん可能である。ユーザは、表示されている操作有効範囲の選択を撮像装置の操作部７４を使用して行う。操作により、操作有効範囲選択枠５０２が移動し、現在選択している操作有効範囲を囲う。すでに操作有効範囲の設定が行われている番号のリング操作部材操作有効範囲表示部５０４には、操作有効範囲グラフが表示され、操作有効範囲表示部５０５に操作可能である角度が表示されている。この角度は、リング操作部材を操作する事により発生するパルス量を検出する事により検知される。操作角度が０°となる位置は、撮像装置が起動された時のリング操作部材位置である。
【００７８】
設定を行われていない番号の操作有効範囲は、リング操作部材操作有効範囲表示部５０４に、操作有効範囲グラフが表示せず、また操作有効範囲表示部５０５に※印を表示する事で、いまだ設定されていない事を明示する。ユーザが初めて設定する前に、必ず操作有効範囲が一つは設定されている事とする。操作有効範囲設定を上書きする事は可能であるが、消去する事は出来なくする事で、必ず一つは操作有効範囲が記録されている事を保証する。
【００７９】
次に設定済みの操作有効範囲が選択されたかの判定を行う（Ｓ１０６）。設定済みの操作有効範囲が選択された場合は、まず選択された操作有効範囲番号を不揮発性メモリに記録する（Ｓ１０８）。ここで記録しておく事で、撮像系が起動した際の操作有効範囲読み込み（Ｓ１０１）で、選択された操作有効範囲が読み込まれる。次に選択された操作有効範囲を、ズームレンズ系の駆動範囲と対応づける（Ｓ１０９）。その後、Ｓ１０２のメニュースイッチ判定に戻る。
【００８０】
未設定の操作有効範囲が選択された場合は、リング操作有効範囲設定画面（図６−１）を画像表示部２８に表示する（Ｓ１１０）。次にリング操作部材が操作されたかの検出を行う（Ｓ１１１）。操作されていない場合は、次にキャンセルボタン６０５が選択されたかの検出を行う。キャンセルが選択された場合は、リング操作有効範囲設定画面（図６−１）を消し、Ｓ１０２のメニュースイッチ判定に戻る。キャンセルが選択されていない場合は、Ｓ１１１のリング操作部材操作検出に戻る。リング操作部材が操作された事を検出した場合は、次にリング操作部材が、初期位置からユーザから見て時計回りに操作されたかの検知を行う（Ｓ１１３）。
【００８１】
操作有効範囲は、初期位置から時計回り方向に、設定出来るようになっているので、この検知を行っている。なお、操作有効範囲を設定出来る範囲は、リング操作部材一回転分であり、操作量が３６０°を超えた場合は、再度初期位置を０°とし、回転角の検出を行う事とする。初期位置から見て、そこから時計回りに操作されていない場合は、Ｓ１１１の操作量検出に戻る。操作されている場合は、リング操作部材からの出力パルスを検出し、操作部材の移動量から角度を検出する。この検出した角度をグラフ化し、リング操作部材操作有効範囲表示用グラフ６０２として表示する。
【００８２】
またこの角度をリング操作部材操作有効角度表示個所６０３に表示する。操作量が警告量より多い場合は、図６−２の６０６に示すようにグラフを描く。操作量が警告量より少ない場合は、図６−３の６０７に示すように、６０６とは異なる色、もしくはパターンで操作量のグラフを描く。操作量がエラー量より少ない場合は、図６−４の６０８に示すように、６０６、６０７とは、異なる色、もしくはパターンで操作量のグラフを描く。更にリング操作部材操作有効角度表示個所６０３に、※印等を表示し、設定できない事を明示する。警告量、エラー量に関しては後述する。
【００８３】
ＯＫボタン６０４を検出する事により操作範囲決定を判断する（Ｓ１１５）。操作範囲設定が決定されない場合は、Ｓ１１１のリング操作部材操作検出に戻る。操作範囲設定が決定された場合は、次に操作量が警告量より少ないかの判断を行う（Ｓ１１７）。警告量とは、設定したリング操作部材の操作量が、ズームレンズ系の停止位置数に比べ、少なくなってしまう量である。
【００８４】
次に操作量がエラー量より少ないかの判断を行う（Ｓ１１８）。エラー量とは、ズームレンズ系停止位置と対応づける事が出来ない操作量である。例えば、リング操作部材を操作されない状態で、操作範囲設定が決定された場合は、操作量がエラー量よりも少なくなるので、設定エラー画面を画像表示部２８に表示し（Ｓ１２１）、Ｓ１１１の操作検出に戻る。
【００８５】
操作量が、エラー量よりも多い場合は、警告画面を画像表示部２８に表示する（Ｓ１２０）。この警告画面では、ズームレンズ系の停止位置数が、いくつになるかも合わせて表示する。ズームレンズ系の停止位置数を減らす場合は、自動的にズームレンズ系の停止位置を間引く場合と、ユーザが自分のあまり使用しないズームポイントを間引く場合とがある。ユーザが自分で間引くズームレンズ停止位置を選択出来る事により、広角側のズームレンズ系停止ポイントを多く残したり、望遠側のズームレンズ停止ポイントを多く残したりする事が出来る。
【００８６】
次に警告画面内の、再設定が選択されたかを判断する（Ｓ１２１）。再設定が選択された場合は、Ｓ１１１の操作検出に戻る。再設定が選択されなかった場合は、操作量をＳ１０７で選択された操作有効範囲番号の領域に、反映させ、不揮発性メモリ５６に記録する（Ｓ１２２）。
【００８７】
次に選択された操作有効範囲を、ズームレンズ系の駆動範囲と対応づけた後、メニュー画面を消し、Ｓ１０２に戻る（Ｓ１２３）。Ｓ１０２にて、メニュースイッチが押されている事が検出されなかった場合は、次に、リング操作部材が操作されているかの検出を行う（Ｓ１２４）。リング操作部材が操作されていない場合は、Ｓ１０２のメニュースイッチ判定に戻る。リング操作部材が操作されている事を検知した場合は、画像表示部２８にズーム操作バー７０２を表示する（Ｓ１２５）。
【００８８】
次にリング操作部材の出力パルス情報から、リング操作部材がどちらの回転方向へ操作されているかを検出する（Ｓ１２６）。ユーザから見て時計回りに操作されている場合は、現在のズームレンズ系位置が最大画角位置であるＴｅｌｅ端かを判断する（Ｓ１２７）。現在位置がＴｅｌｅ端の場合は、Ｓ１０２のメニュースイッチ判定に戻る。現在位置がＴｅｌｅ端でない場合は、ズームレンズ系をＴｅｌｅ方向に向けて駆動開始する（Ｓ１２８）。ユーザから見て反時計回りに操作されている場合は、現在のズームレンズ系位置が、最小画角位置であるＷｉｄｅ端かを判断する（Ｓ１２９）。
【００８９】
現在位置がＷｉｄｅ端の場合は、Ｓ１０２のメニュースイッチ判定に戻る。現在位置がＷｉｄｅ端でない場合は、ズームレンズ系をＷｉｄｅ端に向けて駆動を開始する（Ｓ１３０）。次に、リング操作部材の操作量を検知する（Ｓ１３１）。検知した操作量をズームレンズ系位置に換算し、ズーム操作バー７０２に表示する（Ｓ１３２）。
【００９０】
操作量のズーム操作バーは、図７での７０３に示されるように、表示される。次に、現在のズームレンズ系位置をズーム操作バー７０２に表示する（Ｓ１３４）。現在のズームレンズ系位置表示は、図７での７０４で示されるように表示される。リング操作部材の操作量表示と、現在のズームレンズ系位置を分けて表示する事により、リング操作部材がズームレンズ系の駆動より高速で操作された場合でも、どのズームレンズ系の位置まで操作しているかを知る事が出来る。
【００９１】
次に、それまで操作していた方向と逆方向に操作されたかを判断する（Ｓ１３４）。
【００９２】
それまで操作していた方向と逆に操作されていた場合は、次に操作された量を検知する（Ｓ１３５）。検知した操作量を対応するズームレンズ系位置に換算し、ズーム操作バー７０２に表示する（Ｓ１３６）。次に、現在のズームレンズ系位置より、更に操作されたかを検知する。
【００９３】
つまり、操作量をズームレンズ系位置に換算した位置が、現在のズームレンズ系位置より、それまでＴｅｌｅ方向に移動していた場合はＷｉｄｅ側、Ｗｉｄｅ方向に移動していた場合はＴｅｌｅ側になっているかを判断する（Ｓ１３７）。リング操作部材の操作量が、現在のズームレンズ系位置より操作されていた場合は、ズームレンズ系を停止させる（Ｓ１３８）。
【００９４】
次に、それまで駆動させていた方向と逆方向へ駆動を開始する（Ｓ１３９）。その後Ｓ１３１の操作量検知に戻る。リング操作部材の操作量が現在のズームレンズ系位置より操作されていない場合は、Ｓ１３１の操作量検知に戻る。
【００９５】
それまで操作していた方向と同じ方向に操作されている場合は、リング操作部材が操作され続けているかを判定する（Ｓ１４０）。
【００９６】
リングが操作され続けている事を検知した場合は、次に、リング操作部材が操作有効範囲の端まで操作されたかを検知する（Ｓ１４１）。操作有効範囲の端まで操作されていない場合は、Ｓ１３１の操作量検知に戻る。操作有効範囲の端まで操作されている場合は、Ｔｅｌｅ方向に駆動させている場合は、Ｔｅｌｅ端に、Ｗｉｄｅ方向に駆動させていた場合はＷｉｄｅ端に停止させる（Ｓ１４２）。リング操作部材の操作が停止された事を検知した場合は、リング操作部材の操作量に対応するズームレンズ系停止位置に停止させる（Ｓ１４２）。その後、Ｓ１０２のメニュースイッチ判定に戻る。
【００９７】
図４は、図３−１，図３−２のＳ１００における撮像装置の起動について詳細なフローチャートを示す。
【００９８】
電池交換等の電源投入により、システム制御回路５０はフラグや制御変数等を初期化し（Ｓ２０１）、画像表示部２８の画像表示をＯＦＦ状態に初期設定する（Ｓ２０２）。
【００９９】
システム制御回路５０は、モードダイアル６０の設定位置を判断し、モードダイアル６０が電源ＯＦＦに設定されていたならば（Ｓ２０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（Ｓ２０５）、Ｓ２０３に戻る。
【０１００】
モードダイアル６０が撮影モードに設定されていたならば（Ｓ２０３）、Ｓ２０６に進む。
【０１０１】
モードダイアル６０がその他のモードに設定されていたならば（Ｓ２０３）、システム制御回路５０は選択されたモードに応じた処理を実行し（Ｓ２０４）、処理を終えたならばＳ２０３に戻る。
【０１０２】
システム制御回路５０は、電源制御手段８０により電池等により構成される電源８６の残容量や動作情況が画像処理装置１００の動作に問題があるか否かを判断し（Ｓ２０６）、問題があるならば表示部５４を用いて画像や音声により所定の警告表示を行った後に（Ｓ２０８）、Ｓ２０３に戻る。
【０１０３】
電源８６に問題が無いならば（Ｓ２０６）、システム制御回路５０は記録媒体２００或いは２１０の動作状態が画像処理装置１００の動作、特に記録媒体に対する画像データの記録再生動作に問題があるか否かを判断し（Ｓ２０７）、問題があるならば表示部５４を用いて画像や音声により所定の警告表示を行った後に（Ｓ２０８）、Ｓ２０３に戻る。
【０１０４】
記録媒体２００或いは２１０の動作状態に問題が無いならば（Ｓ２０７）、画像表示部２８に撮像したデータを逐次表示し、電子ファインダーを開始し、撮像装置の起動を完了する。
【図面の簡単な説明】
【０１０５】
【図１】実施例の、撮像装置の図である。
【図２】実施例の、撮像装置の構成ブロック図である。
【図３−１】実施例の、撮像装置の動作処理フローチャートである。
【図３−２】実施例の、撮像装置の動作処理フローチャートである（図３−１の続き）。
【図４】実施例の、撮像装置の起動フローチャートである。
【図５】実施例の、リング操作部材操作有効範囲選択画面である。
【図６−１】実施例の、リング操作部材操作有効範囲設定画面である。
【図６−２】実施例の、リング操作部材操作有効範囲設定画面である。
【図６−３】実施例の、リング操作部材操作有効範囲設定画面である。
【図６−４】実施例の、リング操作部材操作有効範囲設定画面である。
【図７】実施例の、ズーム操作バー表示画面である。
【図８−１】実施例の、操作有効範囲と、ズームレンズ系停止位置との対応図である。
【図８−２】実施例の、操作有効範囲と、ズームレンズ系停止位置との対応図である。
【符号の説明】
【０１０６】
１００  撮像装置
１０２  リング操作部材
５０１  リング操作部材操作有効範囲選択画面
５０２  リング操作部材操作有効範囲選択枠
５０３  リング操作部材操作有効範囲番号
５０４  リング操作部材操作有効範囲表示部
５０５  リング操作部材操作有効角度表示個所
６０１  リング操作部材操作有効範囲設定画面
６０２  リング操作部材操作有効範囲表示用グラフ
６０３  リング操作部材操作有効角度表示個所
６０４  リング操作部材操作有効範囲設定完了ボタン
６０５  リング操作部材操作有効範囲設定取り消しボタン
６０６  リング操作部材操作有効範囲表示
６０７  リング操作部材操作有効範囲警告時表示
６０８  リング操作部材操作有効範囲エラー時表示
７０１  ズームレンズ系駆動時表示部
７０２  ズーム操作バー
７０３  リング操作部材移動量表示
７０４  ズームレンズ系移動量表示
【図１】
2007033775.tif 000003
【図２】
2007033775.tif 000004
【図３−１】
2007033775.tif 000005
【図３−２】
2007033775.tif 000006
【図４】
2007033775.tif 000007
【図５】
2007033775.tif 000008
【図６−１】
2007033775.tif 000009
【図６−２】
2007033775.tif 000010
【図６−３】
2007033775.tif 000011
【図６−４】
2007033775.tif 000012
【図７】
2007033775.tif 000013
【図８−１】
2007033775.tif 000014
【図８−２】
2007033775.tif 000015